(57)【要約】  前記制御部は、前記位置検出手段が検出したタッチ操作がなされた位置が前記操作受付用マークの位置の場合、該操作受付用マークに対応付けられた処理を行い、前記位置検出手段が検出したタッチ操作がなされた位置が前記操作受付用マーク以外の位置であり、かつ前記押圧操作検知手段によって押圧操作を検知した場合、該押圧操作に対応した処理を行う。本発明のタッチ式入力装置は、操作受付用マーク以外の位置がタッチされていても、押圧操作を受け付ける。したがって、本発明のタッチ式入力装置は、操作受付用マークの位置だけでタッチ操作を受け付ける場合に比べて、より多くの操作を受け付け、それら操作に応じた処理を行うことができる。
2015060281.tif 000002
【特許請求の範囲】
【請求項１】
タッチ操作がなされた位置を検出する位置検出手段と、押圧操作を検知する押圧操作検知手段と、を備えた操作受付部と、
前記位置検出手段が検出したタッチ操作がなされた位置に対応した処理を行う制御部と、
操作受付用マークと、
を備えるタッチ式入力装置であって、
前記制御部は、前記位置検出手段が検出したタッチ操作がなされた位置が前記操作受付用マークの位置の場合、該操作受付用マークに対応付けられた処理を行い、
前記位置検出手段が検出したタッチ操作がなされた位置が前記操作受付用マーク以外の位置であり、かつ前記押圧操作検知手段によって押圧操作を検知した場合、該押圧操作に対応した処理を行う、
タッチ式入力装置。
【請求項２】
前記押圧操作検知手段は、前記押圧操作の押圧量を検知し、
前記制御部は、前記位置検出手段が検出したタッチ操作がなされた位置が前記操作受付用マーク以外の位置であり、かつ前記押圧操作検知手段によって押圧操作を検知した場合、前記押圧操作検知手段が検知した押圧量に対応した処理を行う、
請求項１に記載のタッチ式入力装置。
【請求項３】
前記押圧操作検知手段は、キラル高分子によって形成された圧電フィルムを備える、
請求項１又は２に記載のタッチ式入力装置。
【請求項４】
前記キラル高分子は、ポリ乳酸である、
請求項３に記載のタッチ式入力装置。
【請求項５】
前記ポリ乳酸は、少なくとも一軸方向に延伸されている、
請求項４に記載のタッチ式入力装置。
【請求項６】
前記操作受付用マークを表示する表示部、をさらに備える、
請求項１乃至請求項５のいずれかに記載のタッチ式入力装置。
【発明の詳細な説明】
【技術分野】
【０００１】
本発明は、ユーザの指の接触を検知するセンサと枠体とからなるタッチパネルと、該タッチパネルで受け付けたユーザのタッチ操作に応じて制御を行う制御回路とを備えるタッチ式入力装置に関するものである。
【背景技術】
【０００２】
従来、ユーザの指の接触を検知するタッチパネルと、該タッチパネルで受け付けたユーザのタッチ操作に応じて制御を行う制御回路と、を備えるタッチ式入力装置を組み込んだ携帯端末が知られている。【０００３】
例えば、特許文献１に示すＭＰ３プレーヤは、表示部と、タッチ式入力装置とを備えている。タッチ式入力装置は、受け付けたユーザのタッチ操作に応じて表示部の表示内容を変更する。これにより、特許文献１に示すＭＰ３プレーヤは、所謂、ＧＵＩ（；Ｇｒａｐｈｉｃａｌ  Ｕｓｅｒ  Ｉｎｔｅｒｆａｃｅ）を実現している。すなわち、特許文献１に示すＭＰ３プレーヤは、表示部に表示されたアイコンやメニューアイコン（以下、操作受付用マークと称す。）がタッチされると、タッチされた操作受付用マークに応じて処理を行う。【０００４】
換言すれば、特許文献１に示すＭＰ３プレーヤや携帯端末は、操作受付用マークがタッチされない限り、処理を行わない。特許文献１に示すＭＰ３プレーヤや携帯端末は、より多くの操作を受け付けるためには、より多くの操作受付用マークを有する必要がある。
【先行技術文献】
【特許文献】
【０００５】
【特許文献１】特表２０１１−５３０１０１号公報
【発明の概要】
【発明が解決しようとする課題】
【０００６】
しかし、携帯端末は、携帯性のために大きさが限られるため、多くの操作受付用マークを有することが困難である。その結果、ユーザは、より多くの操作を携帯端末に与えることができない。【０００７】
そこで、本発明の目的は、より多くの操作を受け付けて、該操作に応じた処理を行うことができるタッチ式入力装置を提供することにある。
【課題を解決するための手段】
【０００８】
本発明のタッチ式入力装置は、タッチ操作がなされた位置を検出する位置検出手段と、押圧操作を検知する押圧操作検知手段と、を備えた操作受付部と、前記位置検出手段が検出したタッチ操作がなされた位置に対応した処理を行う制御部と、操作受付用マークと、を備える。【０００９】
そして、前記制御部は、前記位置検出手段が検出したタッチ操作がなされた位置が前記操作受付用マークの位置の場合、該操作受付用マークに対応付けられた処理を行い、前記位置検出手段が検出したタッチ操作がなされた位置が前記操作受付用マーク以外の位置であり、かつ前記押圧操作検知手段によって押圧操作を検知した場合、該押圧操作に対応した処理を行う。【００１０】
位置検出手段は、ユーザが操作受付部に触ろうとする操作をタッチ操作として検知する。すなわち、タッチ操作は、表示部に対する実接触に限らず、非接触も含む。非接触のタッチ操作は、例えば静電容量方式のタッチパネル又は光センサを表示部に備え付けることにより検知される。【００１１】
本発明のタッチ式入力装置は、操作受付用マーク以外の位置が押圧されていても、押圧操作を受け付ける。したがって、本発明のタッチ式入力装置は、操作受付用マークの位置だけでタッチ操作を受け付ける場合に比べて、より多くの操作を受け付け、それら操作に応じた処理を行うことができる。【００１２】
また、タッチ式入力装置の前記押圧操作検知手段は、前記押圧操作の押圧量を検知し、前記制御部は、前記位置検出手段が検出したタッチ操作がなされた位置が前記操作受付用マーク以外の位置であり、かつ前記押圧操作検知手段によって押圧操作を検知した場合、前記押圧検知手段が検知した押圧量に対応した処理を行ってもよい。【００１３】
例えば、制御部は、操作受付用マーク以外の位置にタッチ操作がなされ、かつ押圧量が第１閾値以上第２閾値（ただし、第１閾値よりも大きい値）未満の場合に、第１処理を実行し、操作受付用マーク以外の位置にタッチ操作がなされ、かつ押圧量が第２閾値以上の場合に、第２処理を実行する。このように、タッチ式入力装置は、操作受付用マーク以外の位置にタッチ操作がなされた場合、検知した押圧量に基づいて、段階的に処理を実行することができる。無論、タッチ式入力装置は、段階的ではなく、押圧量に対応した連続量を入力させるといったように、連続的な処理を行ってもよい。【００１４】
また、前記押圧操作検知手段は、キラル高分子によって形成された圧電フィルムを備えてもよい。【００１５】
キラル高分子は、主鎖が螺旋構造を有する。キラル高分子は、圧電フィルムが押圧されて、キラル高分子の結晶にずり応力が加わり、この応力によってずり変形が生じると、フィルム表面に電荷を発生する。キラル高分子の圧電特性は、分子の構造に起因するため、ＰＶＤＦ（ポリフッ化ビニリデン）等の強誘電体のポリマーに比べて、焦電効果がない。したがって、キラル高分子によって形成された圧電フィルムは、指の温度が伝わってしまう押圧操作検知手段の構成として好適である。【００１６】
前記キラル高分子は、ポリ乳酸であってもよく、前記ポリ乳酸は、少なくとも一軸方向に延伸されていたポリ乳酸が好ましい。【００１７】
ポリ乳酸（ＰＬＡ）は、キラル高分子の中でも圧電出力定数が高い。特に一軸方向に延伸されたＬ型ポリ乳酸（ＰＬＬＡ）は、ポリ乳酸の中でも圧電出力定数を高くすることができる。このような圧電出力定数が高い材料を用いることにより、押圧操作検知手段は、感度よく押圧操作を受け付けることができる。【００１８】
上述のタッチ式入力装置は、前記操作受付用マークを表示する表示部を備えてもよい。【００１９】
例えば、表示部は、位置検出手段で受け付けたタッチ操作がなされた位置に応じた表示を行う。これにより、表示部を備えるタッチ式入力装置は、ＧＵＩ（；Ｇｒａｐｈｉｃａｌ  Ｕｓｅｒ  Ｉｎｔｅｒｆａｃｅ）を実現できる。
【発明の効果】
【００２０】
この発明によれば、タッチ式入力装置は、操作受付用マーク以外の位置がタッチされていても、押圧操作を受け付けるため、より多くの操作を受け付けて該操作に応じた処理を行うことができる。
【図面の簡単な説明】
【００２１】
【図１】本発明の実施形態に係る携帯端末１の外観斜視図である。
【図２】（Ａ）は、本発明の実施形態に係る携帯端末１のＡ−Ａ断面図であり、（Ｂ）は、静電センサ１２の平面図である。
【図３】本発明の実施形態に係る携帯端末１の構成の一部を示すブロック図である。
【図４】（Ａ）は、表示入力部１０の初期画面を示す図であり、（Ｂ）は、データベース１４０に記憶される内容を示す図である。
【図５】（Ａ）及び（Ｂ）は、それぞれ本発明の実施形態に係る携帯端末１の表示内容の例を示す図である。
【図６】携帯端末１の制御部１４の動作を示すフローチャートである。
【図７】（Ａ）は、携帯端末１のアプリケーション実行画面を示す図であり、（Ｂ）は、データベース１４０の変形例に係るデータベース１４０Ａに記憶される内容を示す図である。
【図８】データベース１４０Ａを用いた制御部１４の動作を示すフローチャートである。
【発明を実施するための形態】
【００２２】
本発明の実施形態に係る携帯端末１について、図１乃至図３を用いて説明する。図１は、携帯端末１の外観斜視図である。図２（Ａ）は、携帯端末１のＡ−Ａ断面図である。図２（Ｂ）は、静電センサ１２の平面図である。図３は、携帯端末１の構成の一部を示すブロック図である。
【００２３】
携帯端末１は、図１に示すように、略直方体形状の筐体３０を備える。筐体３０の表面は開口している。なお、以下では、図１に示すＸ方向を筐体３０の幅方向とし、Ｙ方向を高さ方向とし、Ｚ方向を厚み方向として説明する。また、本実施形態では、筐体３０の幅が、筐体３０の高さよりも短い場合を示している。しかしながら、筐体３０は、幅と高さが同じ長さであっても、幅が高さより長くてもよい。
【００２４】
表示入力部１０は、筐体３０の開口部分を介して外部に露出している。
【００２５】
筐体３０は、図２（Ａ）に示すように、内部に表示入力部１０及び演算回路モジュール４０を配置する。演算回路モジュール４０と表示入力部１０とは、厚み方向に順に配置される。
【００２６】
表示入力部１０は、図２（Ａ）に示すように、表示部１１、静電センサ１２、圧電センサ２０及び絶縁フィルム１２４を備える。表示部１１、静電センサ１２、及び圧電センサ２０は、筐体３０の表面側から視て、それぞれ略同じ形状である。
【００２７】
表示部１１は、図２（Ａ）に示すように、液晶パネル１１１、表面偏光板１１２、背面偏光板１１３、及びバックライト１１４を備える。
【００２８】
バックライト１１４、背面偏光板１１３、液晶パネル１１１、圧電センサ２０、絶縁フィルム１２４、静電センサ１２、及び表面偏光板１１２は、厚み方向に順に配置される。ただし、圧電センサ２０と静電センサ１２とは逆の配置であっても構わない。
【００２９】
静電センサ１２は、図２（Ａ）及び図２（Ｂ）に示すように、ベースフィルム１２１、複数の静電容量検出電極１２２、及び複数の静電容量検出電極１２３を備える。
【００３０】
ベースフィルム１２１は、透光性及び所定の誘電率を有する材質からなる。複数の静電容量検出電極１２２、及び複数の静電容量検出電極１２３は、それぞれ長尺状であり、透光性を有する導電性材料からなる。複数の静電容量検出電極１２２は、ベースフィルム１２１の第１主面（＋Ｚ側の面）に、所定の間隔で配列形成されている。複数の静電容量検出電極１２３は、ベースフィルム１２１の第２主面（−Ｚ側の面）に、所定の間隔で配列形成されている。複数の静電容量検出電極１２２の配列方向と、複数の静電容量検出電極１２３の配列方向とは、ベースフィルム１２１の第１主面又は第２主面の法線方向から視ると、略直交するように設定される。
【００３１】
静電センサ１２に指が近づくと、指が近づけられた位置で静電容量は変化する。そこで、位置検出部１３は、静電容量が変化した静電容量検出電極１２２と静電容量検出電極１２３との組を特定することにより、タッチ位置を検出する。ただし、静電容量の変化は、指が表面偏光板１１２に実際に接触していなくても、検出可能である。また、タッチ位置の検出は、静電センサ１２の代わりに、指の表面偏光板１１２への接近を検知する光センサを用いても可能である。
【００３２】
位置検出部１３は、タッチ位置を検出すると、該タッチ位置の情報を制御部１４に出力する。
【００３３】
圧電センサ２０は、図２（Ａ）に示すように、圧電フィルム２０１、圧電検出電極２０２、及び圧電検出電極２０３を備える。
【００３４】
圧電フィルム２０１、圧電検出電極２０２、及び圧電検出電極２０３は、それぞれ平膜形状である。
【００３５】
圧電検出電極２０２は、圧電フィルム２０１の第１主面（＋Ｚ側の面）に、形成されている。圧電検出電極２０３は、圧電フィルム２０１の第２主面（−Ｚ側の面）に、形成されている。圧電検出電極２０２及び圧電検出電極２０３は、それぞれＩＴＯ、ＺｎＯ、ポリチオフェンを主成分とする有機電極、ポリアニリンを主成分とする有機電極、銀ナノワイヤ電極、カーボンナノチューブ電極のいずれかで形成されているため、透光性を有する。
【００３６】
圧電フィルム２０１は、例えば一軸延伸されたポリ乳酸からなり、透光性を有する。また、圧電フィルム２０１は、−Ｚ方向に押圧されると、第１主面及び第２主面に電荷を発生させる。圧電検出電極２０２と圧電検出電極２０３との間の電位差は、圧電フィルム２０１の第１主面及び第２主面に電荷が発生することにより、生じる。また、この電位差のレベル（例えばｍＶ）は、圧電フィルム２０１の押圧量（又は押込量。例えば数十μｍ）に対応する。したがって、圧電検出電極２０２と圧電検出電極２０３との間の電位差のレベル（ｍＶ）を求めることにより、圧電センサ２０に対する押圧操作の有無及び押圧量（μｍ）を求めることが可能となる。
【００３７】
圧電センサ２０は、圧電検出電極２０２と圧電検出電極２０３との間の電位差をセンサ信号として出力する。圧電センサ２０から出力されたセンサ信号は、図３に示すように、圧電センサ結果検出部２１に入力される。圧電センサ結果検出部２１は、入力されたセンサ信号のレベルＬＳＳ（ｍＶ）を求める。圧電センサ結果検出部２１は、求めたレベルＬＳＳに応じて圧電センサ２０に対する押圧操作の有無を判断する。例えば、圧電センサ結果検出部２１は、レベルＬＳＳが２０ｍＶ未満であれば、表示入力部１０の圧電センサ２０に対して押圧操作がされていないと判断する。圧電センサ結果検出部２１は、レベルＬＳＳが２０ｍＶ以上であれば、表示入力部１０の圧電センサ２０に対して押圧操作がされていると判断する。圧電センサ結果検出部２１が閾値により押圧操作の有無を判断するため、表示入力部１０に対するタッチ操作と押圧操作とを区別しやすくなる。圧電センサ結果検出部２１は、押圧操作の有無の情報を制御部１４に出力する。また、圧電センサ結果検出部２１は、レベルＬＳＳ（押圧量に対応する。）の情報も制御部１４に出力する。
【００３８】
表示部１１の説明に戻り、バックライト１１４から出力された光は、背面偏光板１１３、液晶パネル１１１、圧電センサ２０、絶縁フィルム１２４、静電センサ１２、及び表面偏光板１１２を順に通過する。液晶パネル１１１は、表示制御部１５の制御により、届いた光をそのまま、又は、振動方向を変えて（偏光させて）透過させる。このように、表示部１１の表示内容は、バックライト１１４及び液晶パネル１１１を制御することにより、変更される。
【００３９】
圧電センサ２０は、透光性を有するため、バックライト１１４より＋Ｚ側に配置されても、バックライト１１４からの光の透過を阻害しない。
【００４０】
以上のように、制御部１４は、表示入力部１０に対するタッチ位置の情報、押圧操作の有無の情報、及びレベルＬＳＳ（押圧量に対応する。）の情報が入力される。制御部１４は、これら入力された情報に基づいて様々な処理を行う。表示に関する処理の情報は、制御部１４から表示制御部１５に出力される。表示制御部１５は、制御部１４が出力した表示に関する処理の情報に応じた表示内容となるように、表示入力部１０（表示部１１）を制御する。すなわち、携帯端末１は、所謂、ＧＵＩ（；Ｇｒａｐｈｉｃａｌ  Ｕｓｅｒ  Ｉｎｔｅｒｆａｃｅ）を実現する。なお、表示制御部１５は、アイコン９０１及びメニューアイコン９０２（図４（Ａ）を参照。）が表示されている表示領域の情報、及び表示入力部１０の表示状態の情報を有する。表示入力部１０の表示状態とは、例えば、初期画面状態又はアプリケーション実行画面状態である。
【００４１】
このような携帯端末１によって、以下のようなＧＵＩが実現可能となる。
【００４２】
図４（Ａ）は、表示入力部１０の初期画面を示す図である。図５（Ａ）及び図５（Ｂ）は、それぞれ携帯端末１の表示例を示す図である。図４（Ｂ）は、データベース１４０に記憶される内容を示す図である。図６は、携帯端末１の制御部１４の動作を示すフローチャートである。
【００４３】
図６に示すフローチャートは、制御部１４が位置検出部１３からタッチ位置の情報を取得した時点から始まる（スタート）。また、携帯端末１は、図６に示すフローチャートのスタート時点で、図４（Ａ）に示す初期画面を表示しているものとする。すなわち、表示入力部１０は、図６に示すフローチャートのスタート時点で、複数のアイコン９０１、及び複数のメニューアイコン９０２を表示している。複数のアイコン９０１及び複数のメニューアイコン９０２は、それぞれ本発明の操作受付用マークに相当する。
【００４４】
まず、制御部１４は、タッチ位置がどこの表示領域に属するかを判断する（Ｓ１１）。制御部１４は、複数のアイコン９０１又は複数のメニューアイコン９０２のいずれかの表示領域にタッチ位置が属する場合（Ｓ１１：アイコン群）、ステップＳ１２に進む。制御部１４は、複数のアイコン９０１又は複数のメニューアイコン９０２のそれぞれの表示領域以外にタッチ位置が属する場合（Ｓ１１：アイコン群以外）、ステップＳ１３に進む。なお、複数のアイコン９０１及び複数のメニューアイコン９０２のそれぞれの表示領域は、制御部１４が表示制御部１５に問い合わせることにより、求められる。
【００４５】
制御部１４は、複数のアイコン９０１又は複数のメニューアイコン９０２のいずれかの表示領域にタッチ位置が属する場合（Ｓ１１：アイコン群）、該タッチ位置に表示されているアイコン９０１又はメニューアイコン９０２に応じた処理を行う（Ｓ１２）。
【００４６】
例えば、制御部１４は、タッチ位置がアイコン９０１の表示領域内である場合、アイコン９０１に対応付けられたアプリケーションを実行する。
【００４７】
このように、ユーザは、表示入力部１０に表示されたアイコン９０１又はメニューアイコン９０２をタッチすることにより、携帯端末１に操作入力を与え、アイコン９０１又はメニューアイコン９０２に対応付けられた処理を携帯端末１に実行させることができる。
【００４８】
本実施形態に係る携帯端末１は、複数のアイコン９０１及び複数のメニューアイコン９０２のそれぞれの表示領域以外の位置（例えば図４（Ａ）の位置ＢＧ１。）がタッチされても、次のようにして操作を受け付けて、該操作に応じた処理を行う。
【００４９】
制御部１４は、複数のアイコン９０１又は複数のメニューアイコン９０２のそれぞれの表示領域以外にタッチ位置が属する場合（Ｓ１１：アイコン群以外）、押圧操作の有無の情報を圧電センサ結果検出部２１から取得する（Ｓ１３）。
【００５０】
そして、制御部１４は、表示入力部１０に対する押圧操作があるか否かを判断する（Ｓ１４）。制御部１４は、表示入力部１０に対する押圧操作がされていると判断した場合（Ｓ１４：ＹＥＳ）、ステップＳ１５に進む。制御部１４は、表示入力部１０に対する押圧操作がされていないと判断した場合（Ｓ１４：ＮＯ）、処理を終了する（エンド）。
【００５１】
制御部１４は、表示入力部１０に対する押圧操作がされていると判断した場合（Ｓ１４：ＹＥＳ）、圧電センサ結果検出部２１からレベルＬＳＳ（圧電センサ２０の押圧量に対応する。）の情報を取得する（Ｓ１５）。
【００５２】
そして、制御部１４は、取得したレベルＬＳＳに対応した処理を行う（Ｓ１６）。より具体的には、制御部１４は、取得したレベルＬＳＳでデータベース１４０を参照して実行すべき処理内容を特定する。データベース１４０は、図４（Ｂ）に示すように、レベルＬＳＳと処理内容とを対応付けて記憶している。
【００５３】
例えば、制御部１４は、３０ｍＶのレベルＬＳＳでデータベース１４０を参照して、処理内容をサブメニュー表示と特定する。そして、制御部１４は、サブメニュー表示を行う処理の情報を表示制御部１５に出力する。すると、表示入力部１０は、図５（Ａ）に示すように、表示制御部１５の制御に従い、表示領域の下部（−Ｙ側の領域）にサブメニュー９１０を表示する。ユーザは、サブメニュー９１０が表示されることにより、サブメニュー９１０の表示領域内に表示された複数のアイコン９１１に対して操作を与えることができる。
【００５４】
また、実行すべき処理内容の特定の他の例として、制御部１４は、５０ｍＶのレベルＬＳＳでデータベース１４０を参照すると、実行すべき処理内容をメニュー中央表示と特定する。そして、制御部１４は、メニュー中央表示の処理の情報を表示制御部１５に出力する。すると、表示入力部１０は、複数のアイコン９０１を−Ｙ方向に圧縮表示し、複数のメニューアイコン９０２のそれぞれの表示位置を下（−Ｙ方向）に変更する。その結果、ユーザは、筐体３０の下部（−Ｙ側の部分）を把持していても、複数のメニューアイコン９０２に指が届きやすくなり、操作を与えることができる。
【００５５】
ただし、実行すべき処理内容は、図４（Ｂ）に示す例に限らない。例えば、処理内容は、所定のアイコンに対応付けられたアプリケーションの実行でもよい。この場合、携帯端末１は、表示入力部１０に該所定のアイコンが表示されていなくても、該所定のアイコンに対応付けられたアプリケーションを実行できる。したがって、ユーザは、写真や動画を撮影するプログラム、及び警告音を鳴らすブザープログラム等を即座に携帯端末１に実行させることができる。
【００５６】
以上のように、携帯端末１は、複数のアイコン９０１及び複数のメニューアイコン９０２のそれぞれの表示領域以外の位置がタッチされても、押圧量（レベルＬＳＳ）に対応した処理を行う。したがって、携帯端末１は、複数のアイコン９０１及び複数のメニューアイコン９０２がタッチされて操作が受け付けられる場合に比べて、より多くの操作を受け付けて、該操作に応じた処理を行うことができる。
【００５７】
なお、図４（Ｂ）に示すデータベース１４０は、レベルＬＳＳの閾値を４０ｍＶとして実行すべき処理内容を分けて記憶しているが、さらに、閾値（例えば６０ｍＶ）を増やして実行すべき処理内容を分けて記憶しても構わない。
【００５８】
また、制御部１４は、レベルＬＳＳの閾値で実行すべき処理を切り替えるのではなく、レベルＬＳＳに応じた連続量を用いた処理を行ってもよい。例えば、制御部１４は、バックライト１１４の輝度をレベルＬＳＳに対応させた値とする処理の情報を出力してもよいし、不図示のスピーカの音量値をレベルＬＳＳに対応させた値としてもよい。
【００５９】
ただし、ステップＳ１５において、レベルＬＳＳの情報を取得することは本発明の必須の構成ではない。制御部１４は、圧電センサ結果検出部２１から取得した押圧操作の有無の情報のみを用いて、処理を行ってもよい。例えば、制御部１４は、押圧操作がされていると判断した場合、バックライト１１４をＯＦＦにしてもよい。
【００６０】
また、表示部１１は、本発明の必須の構成ではない。上述の例では、本発明の操作受付用マークは、表示部１１がアイコン９０１又はメニューアイコン９０２を表示することにより、実現されている。しかしながら、本発明の操作受付用マークは、表示部１１によって表示されなくても、例えば静電センサ１２を保護するフィルム上に印刷されることにより、実現されてもよい。
【００６１】
ここで、圧電フィルム２０１について説明する。圧電フィルム２０１は、キラル高分子から形成されるフィルムである。キラル高分子として、本実施形態では、ポリ乳酸（ＰＬＡ）、特にＬ型ポリ乳酸（ＰＬＬＡ）を用いている。ＰＬＬＡは、一軸延伸されている。
【００６２】
一軸延伸されたＰＬＬＡは、圧電フィルムの平板面が押圧されることにより、電荷を発生する。この際、発生する電荷量は、押圧量（押込量）により平板面が当該平板面に直交する方向へ変位する変位量に依存する。ＰＬＬＡは、圧電定数が高分子の中で非常に高い部類に属するため、圧電センサ２０に適している。
【００６３】
ＰＬＬＡは、延伸等による分子の配向処理で圧電性を生じるため、ＰＶＤＦ等の他のポリマーや圧電セラミックスのように、ポーリング処理を行う必要がない。すなわち、強誘電体に属さないＰＬＬＡの圧電性は、分子の特徴的な構造である螺旋構造に由来するものである。このため、ＰＬＬＡには、他の強誘電性の圧電体で生じる焦電性が生じない。したがって、ＰＬＬＡは、表示入力部１０の圧電センサ２０のように、タッチ操作により指の温度が伝わってしまう構成に適している。
【００６４】
また、ＰＬＬＡは、キラル高分子からなるため、ＰＶＤＦ等より高い透光性を有する。したがって、ＰＬＬＡは、表示入力部１０の圧電センサ２０のように、バックライト１１４より＋Ｚ側に配置される構成に適している。
【００６５】
ただし、本実施形態において圧電フィルム２０１としてＰＬＬＡを用いることは必須ではない。圧電センサ２０は、例えばＰＶＤＦからなる圧電フィルム２０１を用いてもよい。
【００６６】
以上の例は、表示入力部１０に対するタッチ位置とレベルＬＳＳ（押圧量）とに応じて実行すべき処理内容を特定していたが、次のように実行すべき処理内容を特定してもよい。
【００６７】
図７（Ａ）は、携帯端末１のアプリケーション実行画面を示す図であり、図７（Ｂ）は、データベース１４０の変形例に係るデータベース１４０Ａに記憶される内容を示す図である。図８は、データベース１４０Ａを用いた制御部１４の動作を示すフローチャートである。
【００６８】
データベース１４０Ａは、図７（Ｂ）に示すように、表示入力部１０の表示状態とレベルＬＳＳとに対応付けて、実行すべき処理内容を記憶している点において、データベース１４０と相違する。
【００６９】
制御部１４は、データベース１４０Ａを用いることにより、表示入力部１０に対するタッチ位置、レベルＬＳＳ（押圧量に対応する。）、及び表示入力部１０の表示状態に応じて、実行すべき処理内容を特定する。
【００７０】
図８に示すフローチャートは、ステップＳ１６を実行せず、ステップＳ１５の次にステップＳ１７及びステップＳ１８を順に実行する点において、図６に示すフローチャートと、相違する。したがって、重複するステップの説明は省略する。
【００７１】
携帯端末１は、図８に示すフローチャートのスタート時点で、図７（Ａ）に示すアプリケーション実行画面を表示しているものとする。すなわち、表示入力部１０は、図８に示すフローチャートのスタート時点で、複数のキー９２１、複数のテキスト９２２、スライドバー９２３、及びタイトルバー９２４を表示している。以下、複数のキー９２１、複数のテキスト９２２、スライドバー９２３、及びタイトルバー９２４をまとめて称す場合、キー群９２０と称す。
【００７２】
制御部１４は、キー群９２０の表示領域を、図４（Ａ）に示す複数のアイコン９０１及び複数のメニューアイコン９０２のそれぞれの表示領域と同じように扱う。すなわち、図８に示すフローチャートのステップＳ１１において、制御部１４は、キー群９２０の表示領域がタッチされると、アイコン群がタッチされたと判断して（Ｓ１１：アイコン群）、ステップＳ１２に進む。キー群９２０は、タッチされると所定の機能（アプリケーションの実行等）が発現するように設定されている。
【００７３】
一方、制御部１４は、キー群９２０の表示領域以外の表示領域を、図４（Ａ）に示す複数のアイコン９０１及び複数のメニューアイコン９０２のそれぞれの表示領域以外の表示領域と同じように扱う。すなわち、図８に示すフローチャートのステップＳ１１において、制御部１４は、キー群９２０の表示領域以外の位置がタッチされると、アイコン群以外がタッチされたと判断して（Ｓ１１：アイコン群以外）、ステップＳ１３に進む。
【００７４】
制御部１４は、レベルＬＳＳの情報を圧電センサ結果検出部２１から取得すると（Ｓ１５）、表示入力部１０の表示状態を取得する（Ｓ１７）。表示入力部１０の表示状態は、表示制御部１５に問い合わせすることにより求められる。
【００７５】
制御部１４は、図７（Ａ）に示す例では、表示制御部１５に問い合わせて、表示入力部１０の表示状態がアプリケーション実行画面状態であると求める（Ｓ１７）。
【００７６】
制御部１４は、表示入力部１０の表示状態を取得すると（Ｓ１７）、表示入力部１０の表示状態とレベルＬＳＳとに対応した処理を行う。具体的には、制御部１４は、取得した表示入力部１０の表示状態とレベルＬＳＳとで、データベース１４０Ａを参照して、実行すべき処理内容を特定する。
【００７７】
制御部１４は、図７（Ａ）に示す例（アプリケーション実行画面）においてレベルＬＳＳが３０ｍＶの場合、データベース１４０Ａを参照すると、実行すべき処理内容が初期画面遷移であると特定する。そして、制御部１４は、初期画面遷移の処理の情報を表示制御部１５に出力する。すると、表示入力部１０は、図４（Ａ）に示す初期画面を表示する。
【００７８】
このように、携帯端末１は、図７（Ａ）に示す位置ＢＧ２がタッチされても、表示入力部１０の表示状態と、押圧操作とに対応した処理を行う。したがって、ユーザは、表示入力部１０の表示状態に合わせて、多様な操作入力を行うことができる。
【００７９】
上述の例では、操作受付用マークは、キー群９２０及びアイコン群が表示されることによって実現されているが、表示されたキー群９２０及びアイコン群の全てが操作受付用マークに相当しなくてもよい。例えば、図７（Ａ）に示すタイトルバー９２４は、タッチされると機能が発現するように設定されていなくてもよい。この場合、タイトルバー９２４は操作受付用マークに相当しないが、制御部１４は、タイトルバー９２４がタッチされ、かつ押圧操作がある場合、該押圧操作に対応した処理を行ってもよい。
【符号の説明】
【００８０】
１…携帯端末
１０…表示入力部
１１…表示部
１２…静電センサ
１３…位置検出部
１４…制御部
１５…表示制御部
２０…圧電センサ
２１…圧電センサ結果検出部
３０…筐体
４０…演算回路モジュール
１１１…液晶パネル
１１２…表面偏光板
１１３…背面偏光板
１１４…バックライト
１２１…ベースフィルム
１２２，１２３…静電容量検出電極
１２４…絶縁フィルム
１４０，１４０Ａ…データベース
２０１…圧電フィルム
２０２，２０３…圧電検出電極
９０１，９１１…アイコン
９０２…メニューアイコン
９１０…サブメニュー
９２０…キー等
９２１…キー
９２２…テキスト
９２３…スライドバー
９２４…タイトルバー
【図１】
2015060281.tif 000003
【図２】
2015060281.tif 000004
【図３】
2015060281.tif 000005
【図４】
2015060281.tif 000006
【図５】
2015060281.tif 000007
【図６】
2015060281.tif 000008
【図７】
2015060281.tif 000009
【図８】
2015060281.tif 000010
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
タッチ操作がなされた位置を検出する位置検出手段と、押圧操作の押圧量を検知する押圧操作検知手段と、を備えた操作受付部と、
前記位置検出手段が検出したタッチ操作がなされた位置に対応した処理を行う制御部と、
操作受付用マークと、
を備えるタッチ式入力装置であって、
前記制御部は、
前記位置検出手段が検出したタッチ操作がなされた位置が前記操作受付用マークの位置の場合、該操作受付用マークに対応付けられた処理を行い、
前記位置検出手段が検出したタッチ操作がなされた位置が前記操作受付用マーク以外の位置であり、かつ前記押圧操作検知手段が検知した押圧量が第１閾値以上であって該第１閾値より大きい第２閾値未満の場合、第１処理を実行し、
前記位置検出手段が検出したタッチ操作がなされた位置が前記操作受付用マーク以外の位置であり、かつ前記押圧操作検知手段が検知した押圧量が前記第２閾値以上の場合、前記第１処理と異なる第２処理を実行する、
タッチ式入力装置。
【請求項２】
操作受付用マークを表示する表示部をさらに備え、
前記制御部は、前記第１処理として、前記操作受付用マークのサブマークを、前記表示部に表示させる、
請求項１に記載のタッチ式入力装置。
【請求項３】
前記制御部は、前記位置検出手段が検出したタッチ操作がなされた位置が前記操作受付用マーク以外の位置であり、かつ前記押圧操作検知手段によって押圧操作を検知した場合、前記押圧操作検知手段が検知した押圧量に対応した処理を行う、
請求項１または２に記載のタッチ式入力装置。
【請求項４】
前記押圧操作検知手段は、キラル高分子によって形成された圧電フィルムを備える、
請求項１〜３のいずれかに記載のタッチ式入力装置。
【請求項５】
前記キラル高分子は、ポリ乳酸である、
請求項４に記載のタッチ式入力装置。
【請求項６】
前記ポリ乳酸は、少なくとも一軸方向に延伸されている、
請求項５に記載のタッチ式入力装置。
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
タッチ操作がなされた位置を検出する位置検出手段と、押圧操作の押圧量を検知する押圧操作検知手段と、を備えた操作受付部と、
前記位置検出手段が検出したタッチ操作がなされた位置に対応した処理を行う制御部と、
操作受付用マークと、
を備えるタッチ式入力装置であって、
前記制御部は、
前記位置検出手段が検出したタッチ操作がなされた位置が前記操作受付用マークの位置の場合、該操作受付用マークに対応付けられた処理を行い、
前記位置検出手段が検出したタッチ操作がなされた位置が前記操作受付用マーク以外の位置の場合、前記押圧操作検知手段が検知した押圧の連続量を用いた第１処理を実行する、
タッチ式入力装置。
【請求項２】
バックライトをさらに備え、
前記制御部は、前記バックライトの輝度を、前記押圧の連続量に対応した値とする処理を実行する、
請求項１に記載のタッチ式入力装置。
【請求項３】
スピーカをさらに備え、
前記制御部は、前記スピーカの音量値を、前記押圧の連続量に対応した値とする処理を実行する、
請求項１に記載のタッチ式入力装置。
【請求項４】
前記制御部は、前記位置検出手段が検出したタッチ操作がなされた位置が前記操作受付用マーク以外の位置であり、かつ前記押圧操作検知手段によって押圧操作を検知した場合、前記押圧操作検知手段が検知した押圧量に対応した処理を行う、
請求項１〜３のいずれかに記載のタッチ式入力装置。
【請求項５】
前記押圧操作検知手段は、キラル高分子によって形成された圧電フィルムを備える、
請求項１〜４のいずれかに記載のタッチ式入力装置。
【請求項６】
前記キラル高分子は、ポリ乳酸である、
請求項５に記載のタッチ式入力装置。
【請求項７】
前記ポリ乳酸は、少なくとも一軸方向に延伸されている、
請求項６に記載のタッチ式入力装置。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
タッチ操作がなされた位置を検出する位置検出手段と、押圧操作の押圧量を検知する押圧操作検知手段と、を備えた操作受付部と、
前記位置検出手段が検出したタッチ操作がなされた位置に対応した処理を行う制御部と、
操作受付用マークと、
を備えるタッチ式入力装置であって、
バックライトを備え、
前記制御部は、
前記位置検出手段が検出したタッチ操作がなされた位置が前記操作受付用マークの位置の場合、該操作受付用マークに対応付けられた処理を行い、
前記位置検出手段が検出したタッチ操作がなされた位置が前記操作受付用マーク以外の位置の場合、前記押圧操作検知手段が検知した押圧の連続量を用いた第１処理を実行し、
前記バックライトの輝度を、前記押圧の連続量に対応した値とする処理を実行する、
タッチ式入力装置。
【請求項２】
タッチ操作がなされた位置を検出する位置検出手段と、押圧操作の押圧量を検知する押圧操作検知手段と、を備えた操作受付部と、
前記位置検出手段が検出したタッチ操作がなされた位置に対応した処理を行う制御部と、
操作受付用マークと、
を備えるタッチ式入力装置であって、
スピーカを備え、
前記制御部は、
前記位置検出手段が検出したタッチ操作がなされた位置が前記操作受付用マークの位置の場合、該操作受付用マークに対応付けられた処理を行い、
前記位置検出手段が検出したタッチ操作がなされた位置が前記操作受付用マーク以外の位置の場合、前記押圧操作検知手段が検知した押圧の連続量を用いた第１処理を実行し、
前記スピーカの音量値を、前記押圧の連続量に対応した値とする処理を実行する、
タッチ式入力装置。
【請求項３】
前記制御部は、前記位置検出手段が検出したタッチ操作がなされた位置が前記操作受付用マーク以外の位置であり、かつ前記押圧操作検知手段によって押圧操作を検知した場合、前記押圧操作検知手段が検知した押圧量に対応した処理を行う、
請求項１乃至２のいずれかに記載のタッチ式入力装置。
【請求項４】
前記押圧操作検知手段は、キラル高分子によって形成された圧電フィルムを備える、
請求項１〜３のいずれかに記載のタッチ式入力装置。
【請求項５】
前記キラル高分子は、ポリ乳酸である、
請求項４に記載のタッチ式入力装置。
【請求項６】
前記ポリ乳酸は、少なくとも一軸方向に延伸されている、
請求項５に記載のタッチ式入力装置。
【国際調査報告】
2015060281.tif 000011
2015060281.tif 000012